(57)【要約】【課題】撮影画像に背景カーテンとともに床が含まれ、背景カーテンの色と床の色とが異なっていても、撮影画像に装飾画像をきれいに合成できる自動写真撮影装置を提供する。【解決手段】自動写真撮影装置は、単色の床４００と、床４００の上に垂下する単色のロールカーテン３０１とを備える。自動写真撮影装置は、被写体６をロールカーテン３０１及び床４００とともに撮影し、撮影画像Ａ１を得る。さらに、垂下したロールカーテン３０１の色に対応した背景キー色を用いて背景マスクＢ１を作成し、床４００の色に対応した床キー色を用いて床マスクＣ１を作成する。自動写真撮影装置は、作成した背景マスクＢ１と床マスクＣ１とに基づいて合成画像Ｆ１を作成する。【選択図】図１２
2006254214.tif 000002
【特許請求の範囲】
【請求項１】
単色の床と、
前記床の上に垂下する１又は複数の単色の背景カーテンと、
被写体を挟んで前記背景カーテンと反対側に設けられ、前記被写体を前記床及び背景カーテンとともに撮影する撮影手段と、
装飾画像を記憶する装飾記憶手段と、
前記背景カーテンの色に対応した背景キー色と、前記床の色に対応した床キー色とを用いて、前記撮影手段により撮影される撮影画像に前記装飾画像を合成し、合成画像を作成する画像処理手段と、
前記合成画像を印刷する印刷手段とを備えることを特徴とする自動写真撮影装置。
【請求項２】
請求項１に記載の自動写真撮影装置であって、
前記装飾画像は、前記背景カーテンと同色又は同系色を含むことを特徴とする自動写真撮影装置。
【請求項３】
請求項１又は請求項２に記載の自動写真撮影装置であって、
前記複数の背景カーテンは、択一的に選択可能であり、
前記装飾記憶手段は、前記複数の背景カーテンに対応した複数の装飾画像を記憶し、
前記自動写真撮影装置はさらに、
前記複数の背景カーテンのうち選択された背景カーテンに対応した背景キー色を設定するキー設定手段を備え、
前記画像処理手段は、前記設定された背景キー色と前記床キー色とを用いて前記合成画像を作成することを特徴とする自動写真撮影装置。
【請求項４】
請求項２又は請求項３に記載の自動写真撮影装置であって、
前記複数の背景カーテンは、所定の方向に配列され、
前記床は、前記複数の背景カーテンのうち前記撮影手段から最も遠い背景カーテンの下辺下まで延在することを特徴とする自動写真撮影装置。
【請求項５】
請求項１〜請求項４のいずれか１項に記載の自動写真撮影装置であってさらに、
前記撮影画像中の前記床の領域に関する領域情報を記憶する領域記憶手段を備え、
前記画像処理手段は、前記領域情報に基づいて、前記撮影画像のうち前記床の領域に対して前記床キー色を用い、前記床の領域を除く領域に対して前記背景キー色を用いて前記合成画像を作成することを特徴とする自動写真撮影装置。
【請求項６】
請求項３又は請求項４のいずれか１項に記載の自動写真撮影装置であってさらに、
前記複数の背景カーテンと、前記複数の背景カーテンに対応し、前記撮影画像中の前記床の領域に関する複数の領域情報とを登録した領域テーブルを記憶する領域記憶手段を備え、
前記画像処理手段は、前記選択された背景カーテンに対応した領域情報を前記領域テーブルから特定し、前記特定した領域情報に基づいて、前記撮影画像のうち前記床の領域に対して前記床キー色を用い、前記床の領域を除く領域に対して前記背景キー色を用いて前記合成画像を作成することを特徴とする自動写真撮影装置。
【請求項７】
請求項１〜請求項６のいずれか１項に記載の自動写真撮影装置であって、
前記床は灰色であることを特徴とする自動写真撮影装置。
【請求項８】
請求項１〜請求項７のいずれか１項に記載の自動写真撮影装置であって、
前記背景キー色は、前記対応する背景カーテンの色を含む所定の色範囲を有し、
前記画像処理手段は、前記撮影画像のうち前記色範囲内の色と同じ色の領域を抽出することにより前記合成画像を作成することを特徴とする自動写真撮影装置。
【請求項９】
請求項１〜請求項８のいずれか１項に記載の自動写真撮影装置であって、
前記床キー色は、前記対応する床の色を含む所定の色範囲を有し、
前記画像処理手段は、前記撮影画像のうち前記色範囲内の色と同じ色の領域を抽出することにより前記合成画像を作成することを特徴とする自動写真撮影装置。
【請求項１０】
単色の床と、前記床の上に垂下する単色の背景カーテンと、被写体を挟んで前記背景カーテンと反対側に設けられる撮影手段と、印刷手段とを備えた自動写真撮影装置を用いた写真撮影方法であって、
前記被写体を前記床及び背景カーテンとともに撮影するステップと、
前記背景カーテンの色に対応した背景キー色と、前記床の色に対応した床キー色とを用いて、撮影される撮影画像に装飾画像を合成し、合成画像を作成するステップと、
前記合成画像を印刷するステップとを備えることを特徴とする写真撮影方法。
【請求項１１】
被写体を単色の床及び前記床の上に垂下する単色の背景カーテンとともに撮影し、撮影画像を画像処理し、画像処理された撮影画像を印刷する自動写真撮影装置内のコンピュータに実行させるための画像処理プログラムであって、
前記背景カーテンの色に対応した背景キー色と、前記床の色に対応した床キー色とを用いて、撮影される前記撮影画像に装飾画像を合成し、合成画像を作成するステップを備えることを特徴とする画像処理プログラム。
【発明の詳細な説明】
【技術分野】
【０００１】
本発明は自動写真撮影装置、自動写真撮影装置を用いた写真撮影方法及び画像処理プログラムに関し、さらに詳しくは、被写体をカメラで撮影し、撮影画像を画像処理した後、画像処理した撮影画像を印刷して販売する自動写真撮影装置、自動写真撮影装置を用いた写真撮影方法及び画像処理プログラムに関する。
【背景技術】
【０００２】
ゲームセンタなどの遊戯施設には、利用者を被写体としてカメラで撮影し、その写真をシールシートに印刷して販売する自動写真撮影装置が設置されている。最近では、撮影画像をタブレットディスプレイなどに表示し、付属のタッチペンで文字や図形などを入力できる、「落書き」や「お絵描き」と呼ばれる編集機能を備えたものが一般的になっている。編集機能で入力された画像は撮影画像と合成され、その合成画像がプリンタでシールシートに印刷され、利用者に提供される。
【０００３】
このような自動写真撮影装置は、仕上がった写真中の被写体の写り具合の良さだけでなく、写真中の背景の美しさやデザインも人気に大きく影響する。そのため、多くの自動写真撮影装置は、写真の背景となる複数の背景カーテンを設け、利用者が好みの柄の背景カーテンを選択できるようにしている。
【０００４】
さらに、最近では、撮影画像に、予め作成された装飾画像を合成するクロマキー処理を使用することにより、写真の背景をより美しく仕上げることができる自動写真撮影装置も提供されている。
【０００５】
このようなクロマキー処理が可能な自動写真撮影装置は、被写体を青色等の単色の背景カーテンとともに撮影し、撮影した画像中の単色の領域、つまり、背景カーテンの領域に装飾画像を合成する。そのため、撮影画像中の被写体を除く領域には、単色の背景カーテンのみが写っている必要がある。
【０００６】
しかしながら、被写体の全身を撮影する場合、撮影画像には、被写体及び背景カーテンの他に、被写体が乗る床も写る。このような場合、撮影画像中の床に対してクロマキー処理ができない。
【０００７】
床の色を背景カーテンと同じ色、たとえば青の単色にすれば、たとえ床が写っても、撮影画像中の被写体以外の領域がすべて青色となり、床領域でもクロマキー処理が可能となる。しかしながら、背景カーテンと床とは通常異なる素材で製造されるため、同じ色合いの青色にするのは困難である。色合いが異なる場合、精度の高いクロマキー処理ができない。また、たとえ背景カーテンと床とを同じ色合いにできたとしても、床は汚れ易いため、背景カーテンと床の色が汚れの目立つ色であれば、床の汚れた部分に対して精度の高いクロマキー処理ができない。また、背景カーテン及び床をともに青や緑の単色とすれば、装置の景観も損なわれ、自動写真撮影装置の利用率が低下する。
【０００８】
特開２００４−２３３３９４号公報（特許文献１）に開示された自動写真撮影装置は、背面にロールカーテンを設けるだけでなく、床面等にもロールカーテンを設け、撮影時に背面及び床の装飾柄を揃える。そのため、背面だけでなく床面等が撮影画像に含まれても、撮影画像中の被写体以外の領域を美しく仕上げることができるとしている。
【０００９】
特開２０００−２２４４１０号公報（特許文献２）に開示された自動写真撮影装置は、背面及び床面に一定の彩度で発光する面発光表示板及び発光素子を備える。撮影時に面発光表示板を発光させ、被写体の影を相殺することにより、背景色の範囲を絞り込むことができ、適切なクロマキー処理ができるとしている。
【００１０】
しかしながら、特許文献１及び２の自動写真撮影装置では、床面等にロールカーテンや、面発光表示板及び発光素子を設けるため、設備の機構が複雑になり、製造コストが嵩むという問題が生じる。また、特許文献２の自動写真撮影装置の場合、床面等に汚れが生じれば、発光素子の発光時に汚れた部分だけ照度が低下するため、クロマキー処理の精度が低下するという問題が生じる。
【００１１】
特開２００４−１１２３０２号公報（特許文献３）に開示された自動写真撮影装置は、撮影画像中の背景カーテンを除く領域をクロマキー処理し、その領域を背景カーテンと同色に画像処理することにより、画像の背景を美しく仕上げることができるとしている。しかしながら、背景カーテンの領域を画像処理することなく、背景カーテン以外の領域のみを画像処理するため、背景カーテンの領域の色合いと、背景カーテン以外の画像処理した領域の色合いとを正確に合わせるのは困難である。そのため、背景カーテンの領域と背景カーテンを除く領域とで若干色合いが異なるという問題が生じる。
【特許文献１】特開２００４−２３３３９４号公報
【特許文献２】特開２０００−２２４４１０号公報
【特許文献３】特開２００４−１１２３０２号公報
【発明の開示】
【発明が解決しようとする課題】
【００１２】
本発明の目的は、撮影画像に背景カーテンとともに床が含まれ、背景カーテンの色と床の色とが異なっていても、撮影画像に装飾画像をきれいに合成できる自動写真撮影装置を提供することである。
【課題を解決するための手段及び発明の効果】
【００１３】
本発明による自動写真撮影装置は、単色の床と、床の上に垂下する１又は複数の単色の背景カーテンと、撮影手段と、装飾記憶手段と、画像処理手段と、印刷手段とを備える。撮影手段は、被写体を挟んで背景カーテンと反対側に設けられ、被写体を床及び背景カーテンとともに撮影する。装飾記憶手段は、装飾画像を記憶する。画像処理手段は、背景カーテンの色に対応した背景キー色と、床の色に対応した床キー色とを用いて、撮影手段により撮影される撮影画像に装飾画像を合成し、合成画像を作成する。印刷手段は、合成画像を印刷する。ここで、床はシート状やマット状のものでもよく、板状のパネルであってもよい。
【００１４】
この自動写真撮影装置によれば、背景キー色及び床キー色の２つのキー色を用いて合成画像を作成する。撮影画像には被写体の他に背景カーテンと床とが含まれるが、背景カーテンの色と床の色とが異なる場合であっても、背景カーテン及び床が単色であり、かつ、背景カーテンの色及び床の色に対応した２つのキー色を用いるため、撮影画像中の背景カーテン及び床を特定できる。そのため、装飾画像を撮影画像にきれいに合成できる。  好ましくは、装飾画像は、背景カーテンと同色又は同系色を含む。ここで、同系色とは、同じ色相で明度や彩度の異なる色、又はそれらの色の組合せをいう。
【００１５】
背景カーテンが単色であっても、撮影時に被写体の影等が投影されるため、撮影画像中の背景カーテンの色には濃淡が生じる場合がある。このような場合、背景キー色でキーアウトしてマスクを作成しても、撮影画像中の背景カーテンの一部にキーアウトされない部分が生じる場合がある。このようなキーアウトされない部分が生じても、背景カーテンと同色又は同系色の装飾画像を合成するため、合成画像中のキーアウトされない部分を目立たなくすることができる。
【００１６】
好ましくは、複数の背景カーテンは、択一的に選択可能であり、装飾記憶手段は、複数の背景カーテンに対応した複数の装飾画像を記憶する。自動写真撮影装置はさらに、キー設定手段を備える。キー設定手段は、複数の背景カーテンのうち選択された背景カーテンに対応した背景キー色を設定する。画像処理手段は、設定された背景キー色と床キー色とを用いて合成画像を作成する。
【００１７】
この場合、複数の背景カーテンごとに背景キー色を設定できる。そのため、各背景カーテンの色が異なる場合でも、各背景カーテンに対応した背景キー色によりクロマキー処理を実行できる。
【００１８】
好ましくは、複数の背景カーテンは、所定の方向に配列され、床は、複数の背景カーテンのうち撮影手段から最も遠い背景カーテンの下辺下まで延在する。
【００１９】
この場合、いずれの背景カーテンを選択しても、背景カーテンは床の上に垂下する。そのため、撮影画像中の被写体を除く領域には、背景カーテンと床のみが含まれ、その他のものが撮影画像中に含まれるのを防止できる。
【００２０】
好ましくは、自動写真撮影装置はさらに、領域記憶手段を備える。領域記憶手段は、撮影画像中の床の領域に関する領域情報を記憶する。画像処理手段は、領域情報に基づいて、撮影画像のうち床の領域に対して床キー色を用い、床の領域を除く領域に対して背景キー色を用いて合成画像を作成する。
【００２１】
この自動写真撮影装置では、撮影時の背景カーテン及び床と、撮影手段との位置が変動しない。したがって、撮影画像に含まれる床の領域も一定となる。そのため、床の領域に関する領域情報を予め記憶し、領域情報に基づいて床の領域に対してのみ床キー色を用いてマスクを作成できる。この場合、床以外の領域で、たとえば被写体の服装等に床と同色が含まれていても、その部分は床キー色によりキーアウトされない。したがって、撮影画像中の被写体の一部等、床以外の部分をキーアウトすることなく精度の高いクロマキー処理ができる。
【００２２】
好ましくは、自動写真撮影装置はさらに、領域テーブルを記憶した領域記憶手段を備える。領域テーブルは、複数の背景カーテンと、複数の背景カーテンに対応し、撮影画像中の床の領域に関する複数の領域情報とを登録する。画像処理手段は、選択された背景カーテンに対応した領域情報を領域テーブルから特定し、特定した領域情報に基づいて、撮影画像のうち床の領域に対して床キー色を用い、床の領域を除く領域に対して背景キー色を用いて合成画像を作成する。
【００２３】
複数の背景カーテンが選択可能であり、かつ、所定方向に配列されている場合、各背景カーテンの垂下する位置が異なる。そのため、撮影画像中の床の写る領域は、各背景カーテンで異なる。背景カーテンに対応した領域情報を領域テーブルに登録し、その領域情報を用いることで、各背景カーテンに対応した床の領域をより正確にキーアウトでき、精度の高いクロマキー処理ができる。
【００２４】
好ましくは、床は灰色である。
【００２５】
床を灰色にすれば、汚れが目立たない。さらに、撮影時に照明等を用いる場合、照明の影響を受けにくい。そのため、汚れた部分もキーアウトされやすく、クロマキー処理の精度を向上できる。
【００２６】
好ましくは、背景キー色は、対応する背景カーテンの色を含む所定の色範囲を有し、画像処理手段は、撮影画像のうち色範囲内の色と同じ色の領域を抽出することにより合成画像を作成する。ここで、色範囲とは、彩度に対して所定の幅を有する色範囲であってもよいし、明度に対して所定の幅を有する色範囲であってもよい。また、ここでいう色範囲は、たとえば複数のＲＧＢ成分を含む。
【００２７】
背景カーテンが単色であっても、撮影時に被写体の影が投影されるため、撮影画像中の背景カーテンの色は一定ではなく、色に濃淡が生じる。背景キー色に所定の色範囲を設けることで、背景カーテンの色に濃淡が生じても、背景カーテンの領域を有効にキーアウトでき、精度の高いクロマキー処理ができる。
【００２８】
好ましくは、床キー色は、対応する床の色を含む所定の色範囲を有し、画像処理手段は、撮影画像のうち色範囲内の色と同じ色の領域を抽出することにより合成画像を作成する。ここで、色範囲とは、明度に対して所定の幅を有する色範囲であってもよいし、彩度に対して所定の幅を有する色範囲であってもよい。また、ここでいう色範囲は、たとえば複数のＲＧＢ成分を含む。
【００２９】
床が単色であっても、撮影時に被写体の影が投影されるため、撮影画像中の床の領域の色は一定ではなく、その色に濃淡が生じる。床キー色に所定の色範囲を設けることで、色に濃淡が生じた床であっても、その床の領域を有効にキーアウトでき、精度の高いクロマキー処理ができる。
【００３０】
本発明による写真撮影方法は、単色の床と、床の上に垂下する単色の背景カーテンと、被写体を挟んで背景カーテンと反対側に設けられる撮影手段と、印刷手段とを備えた自動写真撮影装置を用いた写真撮影方法である。写真撮影方法は、被写体を床及び背景カーテンとともに撮影するステップと、背景カーテンの色に対応した背景キー色と、床の色に対応した床キー色とを用いて、撮影される撮影画像に装飾画像を合成し、合成画像を作成するステップと、合成画像を印刷するステップとを備える。
【００３１】
この写真撮影方法では、背景キー色及び床キー色の２つのキー色を用いて合成画像を作成する。撮影画像には被写体の他に背景カーテンと床とが含まれるが、背景カーテンの色と床の色とが異なる場合であっても、背景カーテン及び床が単色であり、かつ、背景カーテンの色及び床の色に対応した２つのキー色を用いるため、撮影画像中の背景カーテン及び床を特定できる。そのため、装飾画像を撮影画像にきれいに合成できる。
【００３２】
本発明による画像処理プログラムは、被写体を単色の床及び床の上に垂下する単色の背景カーテンとともに撮影し、撮影画像を画像処理し、画像処理された撮影画像を印刷する自動写真撮影装置内のコンピュータに実行させるための画像処理プログラムである。画像処理プログラムは、背景カーテンの色に対応した背景キー色と、床の色に対応した床キー色とを用いて、撮影される撮影画像に装飾画像を合成し、合成画像を作成するステップを備える。
【００３３】
この画像処理プログラムでは、背景キー色及び床キー色の２つのキー色を用いて合成画像を作成する。撮影画像には被写体の他に背景カーテンと床とが含まれるが、背景カーテンの色と床の色とが異なる場合であっても、背景カーテン及び床が単色であり、かつ、背景カーテンの色及び床の色に対応した２つのキー色を用いるため、撮影画像中の背景カーテン及び床を特定できる。そのため、装飾画像を撮影画像にきれいに合成できる。
【発明を実施するための最良の形態】
【００３４】
以下、図面を参照し、本発明の実施の形態を詳しく説明する。図中同一又は相当部分には同一符号を付してその説明は繰り返さない。
【００３５】
１．外観構成
まず図１〜図３を参照して、本発明の実施の形態による自動写真撮影装置の外観構成を説明する。
【００３６】
図１を参照して、この自動写真撮影装置は筐体１を備え、その両側に、撮影を行う撮影コーナ２と、「落書き」や「お絵描き」と呼ばれる編集を行う編集コーナ３とを有する。自動写真撮影装置はさらに、撮影コーナ２側に設置され、撮影時に利用者（以下、被写体ともいう）６が乗る床４００と、背景カーテンであるロールカーテン３０１Ａ〜３０１Ｅを垂下する背景装置５と、筐体１と床４００を挟んで反対側に設けられた背景パネル３０２とを備える。床４００はシート状やマット状でもよく、板状のパネルであってもよい。自動写真撮影装置はさらに、編集コーナ３側に設置された編集装置４を備える。
【００３７】
利用者６は撮影コーナ２に入り、床４００の上に乗り、筐体１側を向いて撮影を行なう。撮影後、利用者６は編集コーナ３に移動し、撮影した画像に編集装置４を使って編集を加える。本実施の形態による自動写真撮影装置はさらに、撮影後の撮影画像をクロマキー処理し、撮影画像に装飾画像を合成して合成画像とすることができる。クロマキー処理した後、利用者６は合成画像に編集を加える。画像処理に用いる装飾画像は自動写真撮影装置内のコンピュータ（図６中の符号５０ａ及び５０ｂ）に予め記憶されている。
【００３８】
撮影コーナ２は、利用者６が出入りでき、かつ筐体１と利用者６との間に必要な距離を確保できるように、筐体１と背景装置５との間に適当な撮影空間を形成している。編集コーナ３は、利用者６が出入りできるように開放されているが、利用者６のプライバシを保護し、かつ外部からの光を遮断するために、サイドカーテン（図示せず）が取り付けられている。
【００３９】
自動写真撮影装置はさらに、筐体１の上面から両側に延びる天井フレーム７を備え、天井フレーム７は撮影コーナ２及び編集コーナ３の空間を画定している。
【００４０】
背景装置５は自動写真撮影装置の上部に配設され、撮影方向に配列された複数のロールカーテン３０１Ａ〜３０１Ｅ（以下、これらを単にロールカーテン３０１ともいう）を収納する。ロールカーテン３０１Ａ〜３０１Ｅは択一的に選択可能である。利用者６が好みのロールカーテン３０１を選択したとき、選択されたロールカーテン３０１が背景装置５の下面開口部から床４００の上に垂下する。
【００４１】
クロマキー処理により撮影画像に装飾画像を合成するため、各ロールカーテン３０１の色は単色である。また、各ロールカーテン３０１は互いに異なる色を有する。たとえば、ロールカーテン３０１Ａが桃色、３０１Ｂが紫色、３０１Ｃが橙色、３０１Ｄが黄色、３０１Ｅが黒色である。通常、単色のロールカーテン３０１が１枚あればクロマキー処理が可能である。しかしながら、撮影時に被写体６の影が投影される等により、ロールカーテン３０１に色の濃淡が生じた場合、撮影画像中に含まれるロールカーテン３０１を完全にキーアウトできず、ロールカーテン３０１の一部が合成画像に残存する場合がある。本実施の形態の自動写真撮影装置は、クロマキー処理用の異なる単色のロールカーテン３０１を複数設け、かつ、各ロールカーテン３０１と同色又は同系色の複数の装飾画像を内部のコンピュータに記憶する。各ロールカーテン３０１の色と同色又は同系色の装飾画像を合成することにより、キーアウトできなかった部分を目立たなくすることができる。
【００４２】
なお、背景パネル３０２の主面も単色（たとえば青色）である。背景パネルも単色であるため、ロールカーテン３０１を垂下せず、背景パネル３０２を背景として撮影し、撮影画像を画像処理することもできる。
【００４３】
各ロールカーテン３０１を単色とするのは、クロマキー処理により撮影画像に装飾画像を合成するためである。したがって、各ロールカーテン３０１のうち、少なくとも撮影画像に含まれる部分が単色であればよい。背景パネル３０２についても同様である。
【００４４】
以下、説明の便宜上、筐体１の撮影コーナ２側の面を正面とし、編集コーナ３側の面を背面とする。
【００４５】
図２を参照して、筐体１の正面には、利用者６を被写体として撮像するカメラ２１と、カメラ２１で撮影された被写体の画像をリアルタイムで表示して利用者６に撮影される予定の画像を目視で確認させるためのライブモニタ２２と、利用者６の操作を受付ける操作部２３と、デモ画面や撮影中の操作手順などを表示するディスプレイ２４と、対価である硬貨を投入するための硬貨投入口２５と、筐体１に収容された各種制御機器のメンテナンスなどを行なうときに開くフロントドア２６と、ＢＧＭや操作手順などのアナウンスを出力する撮影用スピーカ（図６中の符号２８）とが設けられている。
【００４６】
カメラ２１の周囲には、蛍光灯やストロボなどを内蔵し、被写体６、背景となるロールカーテン３０１及び床４００を照明する照明ボックス２７が設けられている。
【００４７】
カメラ２１としては一般にデジタルカメラが用いられる。カメラ２１は、図４Ａに示すように、利用者６の全身写真を撮影するための遠隔撮影機能と、図４Ｂに示すように、利用者６のクローズアップ写真を撮影するための近接撮影機能とを有する。カメラ２１はズーム値を変更することにより、遠隔撮影機能又は近接撮影機能を選択できる。なお、遠隔撮影機能により、図４Ｃに示すように横幅の広い全身写真も撮影できる。また、近接撮影機能により、図４Ｄに示すように横幅の広いクローズアップ写真も撮影できる。
【００４８】
これら２つの撮影機能の選択や、他の撮影条件（たとえばシャッタスピード、絞り値、露出補正、ホワイトバランスなど）の設定、変更、シャッタタイミングは、操作部２３からの入力又は予め設定されたデータに従って後述するコンピュータ（図６中の符号５０ａ）により制御される。
【００４９】
筐体１には、内部の熱を逃がすためのファンのほか、撮影画像の配信やリモートメンテナンスなど、外部装置との通信を可能にするために、ＬＡＮ(Local Area Network)ケーブルの差込口などが設けられていてもよい。
【００５０】
図５Ａ及び５Ｂに示すように、床４００は、カメラ２１から最も遠いロールカーテン３０１Ｅの下辺下まで延在し、背景パネル３０２と接触する。図５Ｃ及び図５Ｄに示すように、全身撮影時の撮影画像中の被写体以外の領域がロールカーテン３０１及び床４００のみを含むようにするためである。被写体以外の領域をロールカーテン３０１及び床４００のみで占めるようにすることにより、後述する画像処理が可能となる。図５Ｅのように、床４００がロールカーテン３０１Ｅの手前までしか設けられていなければ、図５Ｆに示すように、撮影画像の背景に遊技場の地面４０１が入ってしまい、地面４０１の領域の画像処理が困難になる。
【００５１】
床４００の色は単色とし、好ましくは灰色にする。単色にするのは、クロマキー処理により撮影画像中に含まれる床領域を有効にキーアウトするためである。したがって、床４００のうち、少なくとも撮影画像に含まれる部分が単色であればよい。床４００全体が撮影画像に含まれる場合は、床４００全体を単色とする。また、色を灰色にするのは、汚れが目立ちにくく、キーアウトできない部分が生じるのを抑えることができるからである。なお、床４００は黒色であってもよい。床４００は単色でなければならないが、ロールカーテン３０１や背景パネルと同じ色にする必要はない。
【００５２】
図３を参照して、筐体１の背面に設置された編集装置４は、撮影コーナ２で撮影され、画像処理された画像を表示して画像の編集操作を受付けるタブレットディスプレイ３１と、所望の図形や文字を入力するためのタッチペン３２と、ＢＧＭや操作手順などのアナウンスを出力するスピーカ（図６中の符号３３）とを備える。
【００５３】
筐体１の側面には、箱形のプリント取出口８が設けられる。筐体１の内部にはプリンタ（図６中の符号５２）が設けられ、撮影された写真がプリンタでシールシートに印刷され、排出される。プリント取出口８付近には、印刷中ＬＥＤ（Light Emitting Diode）９と、印刷エラーＬＥＤ１０とが設けられ、これらが点灯又は点滅することで、印刷中であることを通知したり、印刷中に用紙切れ、インク切れ、用紙詰り、メカニカルエラーなどのエラーが発生していることを通知したりする。
【００５４】
２．回路構成
次に図６を参照して、上述した自動写真撮影装置の回路構成を説明する。
【００５５】
この自動写真撮影装置は、主として撮影コーナ２でのプレイに関する処理動作を実行する撮影コンピュータ５０ａと、主として編集コーナ３でのプレイに関する処理動作を実行する編集コンピュータ５０ｂと、撮影コンピュータ５０ａ及び編集コンピュータ５０ｂからの指示に従って周辺機器を制御する制御部５１とを備える。撮影コンピュータ５０ａ及び編集コンピュータ５０ｂはピアツーピアで接続され、撮影画像等のデータを送受信する。
【００５６】
撮影コンピュータ５０ａは、ＣＰＵ(Central Processing Unit)５０１ａと、記憶部５０２ａと、半導体メモリ５０３ａと、ドライバ５０４ａとを備える。また、編集コンピュータ５０ｂは、ＣＰＵ５０１ｂと、記憶部５０２ｂと、半導体メモリ５０３ｂと、ドライバ５０４ｂとを備える。
【００５７】
記憶部５０２ａ及び５０２ｂは、本装置を動作させるためのプログラム及び動作に必要な画像データ、音声データ、撮影画像、画像処理により作成されたマスク、合成画像、入力された編集画像等を記憶する。記憶部５０２ａ及び５０２ｂはさらに、各ロールカーテン３０１と同色又は同系色の複数の装飾画像を記憶する。ドライバ５０４ａ及び５０４ｂは、カメラ２１、タブレットディスプレイ３１、プリンタ５２などの周辺機器を駆動する。
【００５８】
撮影コンピュータ５０ａは、本装置に電源が投入されると、プログラムを起動し、カメラ２１のシャッタタイミング、ライブモニタ２２及びディスプレイ２４の表示を制御する。なお、ＣＰＵ５０１ａは、記憶部５０２ａに記憶された画像処理プログラムを半導体メモリ５０３ａに読み出すことにより、画像処理を実行できる。
【００５９】
編集コンピュータ５０ｂは、プリンタ５２の出力、並びにタブレットディスプレイ３１の表示を制御し、さらに、プログラム及びタブレットディスプレイ３１から入力された編集操作に従って指示信号を制御部５１に送信する。
【００６０】
プリンタ５２は、撮影された後合成及び／又は編集された画像をシールシートに印刷する。ここでは、写真をシールシートに印刷する場合を例に挙げて説明するが、シールシートに代えて、紙、金属、プラスチック、その他の印刷媒体に印刷する場合もある。プリンタ５２は用紙切れなどの状態を編集コンピュータ５０ｂに通知し、編集コンピュータ５０ｂはその通知に応じて指示信号を制御部５１に送信する。プリンタ５２としては一般に、昇華型、サーモオートクローム方式（光定着型直接感熱記録方式）などのプリンタが用いられる。
【００６１】
この自動写真撮影装置はさらに、電源スイッチ５３と、電源制御部５４と、ＵＰＳ（Uninterrupted Power Supply）５５とを備える。電源の投入及び切断は電源スイッチ５３で行なわれる。電源制御部５４は、ライブモニタ２２、スピーカ３３、照明装置３０などの電源系統を制御し、外部からそれらに供給される電源の電圧を安定させる。電源切断によりコンピュータ５０ａ及び５０ｂで動作しているプログラムが強制的に終了されると、動作は不安定になる。そのため、電源が落とされても、しばらくはＵＰＳ５５が電源をバックアップし、停電信号をコンピュータ５０ａ及び５０ｂに送信する。その間に、コンピュータ５０ａ及び５０ｂはプログラムの終了処理を実行し、プログラムを正常に終了させる。このとき、コンピュータ５０ａ及び５０ｂは終了信号をＵＰＳ５５に送信する。
【００６２】
制御部５１は、コンピュータ５０ａ、５０ｂ及び電源制御部５４の他に、操作部２３、スピーカ３３、サービスパネル５６、コイン制御部５７、背景装置５、印刷中ＬＥＤ９、印刷エラーＬＥＤ１０、及びストロボ制御部５８に接続される。
【００６３】
操作部２３は利用者６の操作を受付け、操作信号を制御部５１に送信する。撮影コンピュータ５０ａは制御部５１から操作信号を受信し、操作内容に応じた処理を実行する。
【００６４】
制御部５１はコンピュータ５０ａ及び５０ｂから受信した指示信号に従って撮影用スピーカ２８及び編集用スピーカ３３を制御し、撮影用スピーカ２８及び編集用スピーカ３３は遊技中に操作案内やＢＧＭなどを出力する。
【００６５】
サービスパネル５６は、投入された硬貨の枚数をカウントするコインカウンタ、印刷されたプリントの枚数をカウントするプリントカウンタ、スピーカ２８及び３３から出力される音声のボリュームを調整するための音量調整つまみ、本装置をテストモードに切り換えるためのテストボタン、硬貨を投入しなくても本装置を利用可能にするためのサービスボタンなどを備える。サービスパネル５６は、本装置の設置者が各種設定やメンテナンスを行なう際に用いられる。制御部５１は、コンピュータ５０ａ及び５０ｂから受信した指示信号に従ってサービスパネル５６に制御信号を送信する。サービスパネル５６は、制御信号に従ってコインカウンタやプリントカウンタを動作させる。ここでいう設置者は、本装置を設置して営業を行なっている店舗などの経営者、管理者、従業員であり、営業中に、利用者に対応できる者である。
【００６６】
コイン制御部５７は、硬貨投入口２５に投入された硬貨の正当性を判別し、硬貨の投入を表す検出信号を制御部５１に送信する。制御部５１は撮影コンピュータ５０ａから受信した指示信号に従ってコイン制御部５７に制御信号を送信し、コイン制御部５７は制御信号に従って硬貨投入口２５を遮蔽する。これにより、たとえば遊技中に硬貨の投入を禁止することができる。
【００６７】
制御部５１は、プリンタ５２の状態に応じた指示信号を編集コンピュータ５０ｂから受信し、印刷中ＬＥＤ９及び印刷エラーＬＥＤ１０を制御する。これにより、印刷中ＬＥＤ９又は印刷エラーＬＥＤ１０が点灯又は点滅する。
【００６８】
この自動写真撮影装置はさらに、ストロボ５９を備える。ストロボ５９は、蛍光灯３０とともに図２に示した照明ボックス２７に内蔵される。蛍光灯３０は被写体６を常時照明するのに対し、ストロボ５９はカメラ２１のシャッタに同期して被写体６を瞬間的に照明する。ストロボ制御部５８はカメラ２１に接続され、カメラ２１のシャッタタイミングに応じてシャッタ同期信号ＳＳを受信する。ストロボ制御部５８は、シャッタ同期信号ＳＳに応答してストロボ５９を閃光させる。
【００６９】
ストロボ制御部５８は、制御部５１からの制御信号に応じて閃光度などを設定してもよい。蛍光灯３０も同様に、制御部５１からの制御信号に応じて照度などを設定してもよい。
【００７０】
図示された形態は自動写真撮影装置の一例に過ぎない。したがって、図示されていない他の機能が備えられていてもよく、逆に、図示された機能が必ずしも全て備えられていなくてもよい。たとえば、カメラ２１はズーム値を変更することにより遠隔撮影又は近接撮影を選択するとしたが、たとえば、遠隔撮影用のカメラと近接撮影用のカメラを別に設けても良い。また、遠隔撮影時と近接撮影時とで、カメラ２１がそれぞれ所定の場所に移動してもよい。また、プリンタ５２は自動写真撮影装置本体に備えられていなくてもよい。この場合、自動写真撮影装置は画像データをＬＡＮなどの電気通信回線を介して外部に出力し、外部のプリンタで写真を印刷したり、携帯電話機に写真を保存したりしてもよい。
【００７１】
３．動作
自動写真撮影装置は、初めに被写体を撮影し、撮影した撮影画像を画像処理し、撮影画像に装飾画像を合成する（撮影動作）。その後、合成画像を編集する（編集動作）。以下、撮影動作及び編集動作について説明する。
【００７２】
３．１．撮影動作
撮影動作は、ＣＰＵ５０１ａが記憶部５０２ａから半導体メモリ５０３ａに画像処理プラグラムを含む動作プログラムを読出して実行することにより実現される。
【００７３】
図７を参照して、まず電源スイッチ５３がオンにされると、各種装置に電力が供給され、記憶部５０２ａ及び５０２ｂに格納されたプログラムが起動する。撮影コンピュータ５０ａ及び編集コンピュータ５０ｂは、各種装置が正常に接続されているか否かをチェックし、初期化が必要な装置に対しては初期化を行なう（Ｓ１０）。その後、本装置の利用を促すタイトルデモをディスプレイ２４に表示し、同時に音声を撮影スピーカ２８から出力する（Ｓ１１）。
【００７４】
タイトルデモの表示中にテストボタンが押下された場合（Ｓ１２でＹＥＳ）、本装置はメンテナンスを行なうためのテストモードに入る（Ｓ１３）。テストモードでは、本装置の利用状況（たとえば硬貨の投入数など）を確認したり、カメラ２１、プリンタ５２などの周辺機器を調整したりすることができる。
【００７５】
一方、タイトルデモの表示中にテストボタンが押下されない場合（Ｓ１２でＮＯ）、硬貨投入口２５で硬貨の投入を受付け、所定の対価を受領したか否かを判定する（Ｓ１４）。所定の対価を受領していない場合（Ｓ１４でＮＯ）、ステップＳ１２に戻る。一方、コイン制御部５７で硬貨の正当性や枚数などが検知され、正常に硬貨を受付け、所定の対価を受領したと判定した場合（Ｓ１４でＹＥＳ）、次のステップＳ１５に進み、本装置の遊戯動作が開始される。
【００７６】
遊戯動作は撮影から始まる。カメラ２１で撮像される画像はライブモニタ２２でリアルタイムに表示される。利用者６は、ライブモニタ２２に表示された画像を見ながら、好みの表情やポーズを取る。カメラ２１で撮像される画像は、そのままライブモニタ２２に表示してもよいが、左右を反転して表示してもよい。左右を反転した場合、利用者６の姿を鏡に写す方向と同じ方向でライブモニタ２２に表示することができる。そのため、利用者６は、ライブモニタ２２を見ながら好みの表情やポーズを取るのが容易になる。
【００７７】
次に、図８に示すように、複数の撮影モードの選択肢を操作用のディスプレイ２４に表示し、操作部２３のボタンで好みの撮影モードを利用者６に選択させる（Ｓ１５）。ディスプレイ２４には、図４Ｄの写真を撮影できる「アップ横撮影モード」１０１と、図４Ｂの写真を撮影できる「アップ縦撮影モード」１０２と、図４Ｃの写真を撮影できる「全身横撮影モード」１０３と、図４Ａの全身写真を撮影できる「全身縦撮影モード」１０４の４種類の撮影モードが表示される。
【００７８】
所定時間が経過するまで、利用者６は選択肢を自由に選ぶことができる。選択可能な残り時間は画面左上の残り時間表示部１０６に表示される。選択された撮影モードはメモリ５０３ａに記憶される。
【００７９】
ステップＳ１５でいずれかの撮影モードが選択された後、自動写真撮影装置は、図９に示す明るさ選択画面をディスプレイ２４に表示し、利用者６に好みの明るさを選択させる（Ｓ１６）。図９に示すように、明るさ選択画面は複数の異なる明るさの選択肢１１０を有し、ＯＫボタン１０５を押下するまで、又は、所定時間が経過するまで、利用者６は選択肢を自由に選ぶことができる。選択された明るさはメモリ５０３ａに記憶される。撮影時、ストロボ５９は選択された明るさに対応した光量で閃光する。
【００８０】
ステップＳ１６でいずれかの明るさが選択された後、図１０Ａに示す背景選択画面がディスプレイ２４に表示され、利用者６に好みの背景を選択させる（Ｓ１７）。
【００８１】
図１０Ａに示すように、背景選択画面には、複数の背景柄が表示される。具体的には、背景柄として、画像処理することなく、各ロールカーテン３０１をそのまま背景とするノーマル柄２０１ａ〜２０１ｆと、クロマキー処理により撮影画像中の被写体６に合成するための装飾画像２０２ａ〜２０２ｄとが表示される。また、ステップＳ１５で利用者６が「全身縦撮影モード」１０４を選択した場合、図１０Ｂに示す背景柄選択画面が表示される。図１０Ｂの背景柄選択画面には、図１０Ａと比較して新たに床装飾画像２０３が表示され、利用者６は装飾画像２０２ａ〜２０２ｄを選択した場合、さらに床装飾画像２０３も選択できる。装飾画像２０２ａ〜２０２ｄ及び床装飾画像２０３はロールカーテン３０１のいずれかの色と同色または同系色で構成される。なお、「全身縦撮影モード」１０４を選択した場合であっても、装飾画像２０２のみを選択し、床装飾画像２０３を選択しなくてもよい。装飾画像２０２のみを選択した場合、画像処理した後の合成画像のうち、被写体を除く領域の柄が装飾画像２０２の柄と同じになる。
【００８２】
利用者６は、撮影開始ボタン２０４を押すまで、又は所定時間が経過するまで（Ｓ１８でＮＯ）、背景柄を自由に選ぶことができる。
【００８３】
利用者６が背景柄を選択したとき（Ｓ１８でＹＥＳ）、自動写真撮影装置は撮影を開始する（Ｓ１９）。具体的には、ＣＰＵ５０１ａは、ステップＳ１５で選択された撮影モードに基づいてカメラ２１の撮影条件を設定し、ステップＳ１６で選択された明るさに基づいてストロボ５９の光量を設定する。
【００８４】
さらに、ＣＰＵ５０ａは、ステップＳ１７で選択された背景柄に基づいて、ロールカーテン３０１を垂下する。記憶部５０２ａは表１に示す背景テーブルを予め記憶する。
【表１】
2006254214.tif 000003
【００８５】
表１を参照して、背景テーブルは、各ロールカーテン３０１Ａ〜３０１Ｅと、各ロールカーテンに対応した背景柄（ノーマル柄、装飾画像及び床装飾画像）とが登録されている。ロールカーテン３０１Ａ〜３０１Ｅには、それぞれ同色のノーマル柄２０１ａ〜２０１ｅが登録される。また、各ロールカーテン３０１と同色又は同系色を含む装飾画像２０２ａ〜２０２ｄや床装飾画像２０３が、各ロールカーテン３０１に対応して登録される。
【００８６】
ＣＰＵ５０ａは、背景テーブルを参照して、選択された背景柄に対応したロールカーテン３０１を垂下する。たとえば、利用者がロールカーテン３０１Ａの同系色を含む装飾柄２０２ａを選択した場合、ＣＰＵ５０ａは背景テーブルを参照してロールカーテン３０１Ａを垂下する。なお、利用者６がノーマル柄２０１ｆを選択したとき、いずれのロールカーテン３０１も垂下しない。つまり、青単色の背景パネル３０２が撮影時の背景となる。垂下したロールカーテン３０１の情報は半導体メモリ５０３ａに記憶される。
【００８７】
カメラ２１の撮影条件及びストロボ９の光量を設定し、ロールカーテン３０１を垂下した後、撮影が開始される。
【００８８】
撮影は、時間の経過とともに「３、２、１」などのカウントダウンをディスプレイ２４やスピーカに出力することにより自動で行なう。また、カメラ２１の近傍に設けられた撮影ボタン（図示せず）を押下することにより手動で行なってもよい。撮影は、撮影コンピュータ５０ａからカメラ２１に撮影信号が送信されることでシャッタが切られ、実行される。
【００８９】
撮影が終了すると、撮影画像中の被写体を背景画像に合成する画像処理が実行される（Ｓ２０）。
【００９０】
画像処理を実行後、図１１に示すように、画像処理された合成画像又は撮影画像をディスプレイ２４に所定時間表示する（Ｓ２１）。撮影が所定の回数未満の場合（Ｓ２２でＮＯ）、ステップＳ１５に戻り、再び撮影が行われる。撮影が所定の回数となった場合（Ｓ２２でＹＥＳ）、撮影を終了し、作成された全ての合成画像をディスプレイ２４に表示し、編集の対象とする合成画像を利用者６に選択させる（Ｓ２３）。ステップＳ２３で選択された合成画像を編集するため、撮影コンピュータ５０ａは選択された合成画像及びその合成画像に関連したデータを編集コンピュータ５０ｂに転送する（Ｓ２４）。
【００９１】
利用者６が編集対象の画像を選択した後、撮影コンピュータ５０ａは、利用者６に対して編集コーナ３に移動するように促がす案内をディスプレイ２４に表示する。案内に従って、利用者６は編集コーナ３に移動する。以降、利用者６の操作は編集コーナ３で行なわれる。
【００９２】
３．２．画像処理（図７中のステップＳ２０）
本実施の形態による自動写真撮影装置は、クロマキー処理により撮影画像にステップＳ１７で選択された背景柄（装飾画像及び／又は床装飾画像）を合成する。
［全身縦撮影モードの場合］
【００９３】
全身縦撮影モード、すなわち図１２に示すように、被写体６の全身が写った撮影画像Ａ１であり、撮影画像Ａ１にロールカーテン３０１及び床４００が写っている場合、撮影コンピュータ５０ａは、２つのキー色を用いてクロマキー処理を実行する。具体的には、ロールカーテン３０１の色に対応した背景キー色を用いて撮影画像Ａ１から背景マスクＢ１を作成し、床４００の色に対応した床キー色を用いて撮影画像Ａ１から床マスクＣ１を作成する。さらに、作成した背景マスクＢ１及び床マスクＣ１に基づいて撮影画像Ａ１に装飾画像Ｄ１及び床装飾画像Ｅ１を合成する。これにより、撮影画像中に床４００が写っていても、ロールカーテン３０１及び床４００をともにキーアウトでき、撮影画像Ａ１に装飾画像Ｄ１及びＥ１をきれいに合成できる。以下、詳細を説明する。
【００９４】
図１２及び図１３を参照して、撮影コンピュータ５０ａは、図７中のステップＳ１５で利用者６が選択した撮影モードが「全身縦撮影モード」であると判断する（Ｓ１０１でＹＥＳ）。撮影コンピュータ５０ａはメモリ５０３ａに記憶された撮影モードの情報に基づいて判断する。
【００９５】
続いて、撮影コンピュータ５０ａは、図７中のステップＳ１６及びＳ１７で利用者が選択した明るさ及び背景に基づいて、マスクを作成するための背景キー色を設定する（Ｓ１０２）。このとき、撮影コンピュータ５０ａは、表２に示す背景キー色テーブルを参照する。
【表２】
2006254214.tif 000004
【００９６】
背景キー色テーブルは、記憶部５０２ａに記憶される。表２を参照して、背景キー色テーブルには、選択された明るさと、選択された背景に対応した背景キー色に関するキー情報Ｋｅｙ１〜Ｋｅｙ２４が登録される。本実施の形態では、背景キー色は予め設定されている。
【００９７】
各背景キー色は背景キー情報Ｋｅｙで定められた所定の色範囲を有する。表３に背景キー情報Ｋｅｙを示す。
【表３】
2006254214.tif 000005
【００９８】
表３を参照して、背景キー情報Ｋｅｙには複数のＲＧＢ成分が登録される。背景キー情報Ｋｅｙに登録されたＲＧＢ成分を含む色範囲が背景キー色に設定される。背景キー情報Ｋｅｙには、表３に示すように、複数の異なるＲＧＢ値が登録されてもよいし、「ＲＧＢ（ｒ１，ｇ１，ｂ１）〜ＲＧＢ（ｒ１，ｇ１，ｂ３）」というようにＲＧＢ成分の所定範囲の上限及び下限が登録されてもよい。背景キー色は、たとえば彩度のみを変動させた複数のＲＧＢ成分により設定された色範囲であってもよいし、彩度及び明度を変動させたＲＧＢ成分により設定された色範囲であってもよい。設定された色範囲内には、対応する背景（ロールカーテン３０１又は背景パネル３０２）の色が含まれる。
【００９９】
撮影コンピュータ５０ａは、背景キー色テーブルを参照し、選択された明るさ及び垂下したロールカーテン３０１に対応した背景キー色を設定する。
【０１００】
続いて、撮影コンピュータ５０ａは、撮影画像Ａ１のうち、設定した背景キー色と同じ色範囲の画素を含む領域を抽出し（Ｓ１０３）、抽出した領域に基づいて背景マスクを作成する（Ｓ１０４）。具体的には、抽出した領域、すなわち、ロールカーテン３０１が写った領域のＲＧＢ値を（２５５，２５５，２５５）に設定する。さらに、抽出した領域を除く領域、すなわち、被写体６及び床４００が写った領域のＲＧＢ値を（０，０，０）に設定する。以上の設定により背景マスクＢ１が作成される。このとき、背景キー色は所定の色範囲を含むため、撮影時の被写体の影等により撮影画像中のロールカーテン３０１の色に濃淡が生じていても、ロールカーテン３０１の領域を有効に抽出でき、精度の高い背景マスクＢ１を作成できる。
【０１０１】
背景マスクＢ１を作成後、撮影コンピュータ５０ａは床マスクＣ１を作成する（Ｓ１０５〜Ｓ１０７）。自動写真撮影装置では、撮影時のカメラ２１、背景装置５及び床４００の位置が決まっている。したがって、撮影画像中においてロールカーテン３０１及び床４００が写る領域は、ロールカーテン３０１ごとに決まっており、変動しない。たとえば、図５Ａに示すように、ロールカーテン３０１Ａが垂下したとき、図５Ｃに示すように、撮影画像中における床４００の写る領域は必ず（ｘ，ｙ）＝（ｘ１,ｙ１）〜（ｘＥ，ｙＥ）の座標範囲になり、図５Ｂに示すように、ロールカーテン３０１Ｅが垂下したとき、図５Ｄに示すように、撮影画像中における床４００の写る領域は必ず（ｘ，ｙ）＝（ｘ５,ｙ５）〜（ｘＥ，ｙＥ）の座標範囲となる。要するに、使用するロールカーテン３０１が決定されれば、撮影画像に写る床４００の領域が決まる。したがって、床４００の領域に対してのみ、床キー色を用いたマスクを作成できる。
【０１０２】
まず、撮影コンピュータ５０ａは、ステップＳ１７で選択された背景に対応する領域情報を表４に示す領域テーブルから読み出す（Ｓ１０５）。これにより、撮影画像中の床４００の領域（以下、床領域と称する）を特定できる。
【表４】
2006254214.tif 000006
【０１０３】
表４を参照して、領域テーブルには、背景情報と、背景情報に対応した領域情報とが登録される。撮影コンピュータ５０ａは、ステップＳ１７で記憶部５０２ａに記憶された背景情報に対応した領域情報を領域テーブルから特定する。たとえば、ステップＳ１７でロールカーテン３０１Ａを選択した場合、撮影画像中の座標（ｘ，ｙ）＝（ｘ１,ｙ１）〜（ｘＥ，ｙＥ）の範囲を床領域として特定する。
【０１０４】
床領域を特定した後、撮影コンピュータ５０ａは、特定した床領域のうち、床キー色と同じ色の画素を含む領域を抽出する（Ｓ１０６）。床キー色は、記憶部５０２ａに予め記憶された床キー情報により、その色範囲を設定される。床キー情報は表３に示した背景キー情報Ｋｅｙと同様に、複数のＲＧＢ成分を含む。したがって、床キー色は、床キー情報の複数のＲＧＢ成分を含む色範囲に設定される。床キー色は、たとえば明度のみを変動させた複数のＲＧＢ成分により色範囲を設定される。ただし、設定した色範囲の内には床４００の色（灰色）が含まれる。床キー色により床領域中の床４００の部分が抽出されるが、床領域中の被写体６の足が写った部分は抽出されない。
【０１０５】
特定した床領域内の床キー色と同じ色範囲の領域を抽出した後、抽出した領域に基づいて床マスクＣ１を作成する（Ｓ１０７）。具体的には、抽出した領域、すなわち、床４００の部分のＲＧＢ値を（２５５，２５５，２５５）に設定し、抽出した領域を除く領域、すなわち、被写体６の足が写った領域のＲＧＢ値を（０，０，０）に設定する。さらに、撮影画像Ａ１のうち、ステップＳ１０５で特定した床領域以外の領域のＲＧＢ値を（０，０，０）に設定する。以上の設定により床マスクＣ１が作成される。
【０１０６】
このように、床マスクＣ１を作成する場合、床領域を予め特定し、その領域を床キー色でキーアウトする。そのため、床領域以外の領域で、たとえば被写体の服装等に床４００と同色が含まれていても、その部分が床キー色によりキーアウトされるのを防止できる。したがって、撮影画像中の被写体の色をキーアウトすることなく精度の高いマスクを作成できる。
【０１０７】
撮影コンピュータ５０ａは、背景マスクＢ１及び床マスクＣ１を作成した後、メモリ５０３ａに記憶する（Ｓ１０８）。
【０１０８】
マスクを記憶後、撮影コンピュータ５０ａは、撮影画像に装飾画像を合成する。ステップＳ１７での背景選択時に図１２に示す装飾画像Ｄ１と床装飾画像Ｅ１とを選択した場合（Ｓ１０９でＹＥＳ）、装飾画像Ｄ１を背景マスクＢ１に基づいて撮影画像Ａ１に合成し、さらに、床装飾画像Ｅ１を床マスクＣ１に基づいて撮影画像Ａ１に合成して合成画像Ｆ１を完成する（Ｓ１１０）。ここで、装飾画像Ｄ１及び床装飾画像Ｅ１はともに、選択されたロールカーテンと同色又は同系色で構成されている。そのため、撮影画像中のロールカーテン３０１及び床４００の色を完全にキーアウトできず、一部が残存していても、合成処理後の合成画像Ｆ１でその残存部分は目立たない。完成された合成画像Ｆ１は図７中のステップＳ２１でディスプレイ２４に表示される。
【０１０９】
なお、背景マスクＢ１及び床マスクＣ１といった２つのマスクを用いるのではなく、全体マスクＧ１を用いて合成画像Ｆ１を作成してもよい。全体マスクＧ１は背景マスクＢ１と床マスクＣ１とに基づいて作成される。たとえば、ステップＳ１７で利用者６が２枚の画像（装飾画像２０２及び床装飾画像２０３）を背景柄として選択した場合、２枚のマスク、つまり背景マスクＢ１及び床マスクＣ１を用いて合成画像Ｆ１を作成する。また、ステップＳ１７で利用者６が１枚の画像（装飾画像２０２）のみを背景柄として選択した場合、１枚のマスク、つまり全体マスクＧ１を用いて合成画像Ｆ１を作成する。
【０１１０】
背景選択時にノーマル柄を選択した場合（Ｓ１０９でＮＯ）、合成画像を作成しない。このとき、図７中のステップＳ２１では、撮影したままの撮影画像がディスプレイ２４に表示される。ただし、ノーマル柄を選択した場合でも、背景マスクＢ１及び床マスクＣ１は作成され、記憶部５０２ａに記憶される。後述する編集動作でこれらのマスクを使用できるようにするためである。
【０１１１】
以上のとおり、全身縦撮影モードの場合、換言すれば、撮影画像に床４００が写る場合、背景キー色及び床キー色の２つのキー色を用いてマスクを作成する。そのため、ロールカーテン３０１の色と床４００の色とが異なっていても、クロマキー処理により精度の高いマスクを作成でき、撮影画像に装飾画像をきれいに合成できる。
【０１１２】
なお、上述の画像処理では、マスクを用いて撮影画像に装飾画像を合成したが、マスクを使用しないで合成することもできる。たとえば、背景キー色及び床キー色で撮影画像Ａ１を構成する複数の画素を走査し、背景キー色又は床キー色と同じ色の画素Ｖ１を特定する。特定した画素Ｖ１の色が背景キー色と同じである場合、画素Ｖ１に対応した装飾画像Ｄ１中の画素Ｖ２を特定し、画素Ｖ２を撮影画像Ａ１中の画素Ｖ１に相当する位置に合成する。画素Ｖ１の色が床キー色と同じである場合、画素Ｖ１に対応した床装飾画像Ｅ１中の画素Ｖ３を特定し、合成する。画素Ｖ１に対応する画素Ｖ２、Ｖ３は、たとえば画素の座標（ｘ，ｙ）に基づいて決定される。以上の方法により撮影画像Ａ１中の全ての画素を走査すれば、マスクを作成することなく合成画像Ｆ１が得られる。
［全身縦撮影モード以外の撮影モードの場合］
【０１１３】
図１３及び図１４を参照して、全身撮影モード以外の撮影モードの場合（Ｓ１０１でＮＯ）、撮影画像Ａ２に床４００は写らないため、背景キー色のみでクロマキー処理を実行する。撮影コンピュータ５０ａは、背景テーブルに基づいて選択された背景に対応した背景キー色を設定する（Ｓ１１２）。続いて、撮影画像Ａ２のうち、設定した背景キー色の色範囲内に含まれる色を有する画素領域を抽出し（Ｓ１１３）、背景マスクＢ２を作成する（Ｓ１１４）。以降の動作は全身撮影モードの場合と同様である（Ｓ１０８〜１１０）。ステップＳ１７で装飾柄Ｄ２を選択している場合（Ｓ１０９でＹＥＳ）、ステップＳ１１０で合成画像Ｆ２が作成される。
【０１１４】
３．３．編集動作
図１５を参照して、利用者が編集作業をしていない場合、編集コンピュータ５０ｂはタブレットディスプレイ３１に待機画像を表示する（Ｓ５１）。図７中のステップＳ２４で撮影コンピュータ５０ａから送信された合成画像の受信を開始したとき（Ｓ５２でＹＥＳ）、合成画像を受信中である旨をタブレットディスプレイ３１に表示する（Ｓ５３）。なお、ステップＳ１７でノーマル柄を選択した場合、合成画像は作成されないため、撮影コンピュータ５０ｂは撮影画像を受信する。
【０１１５】
画像（合成画像及び撮影画像）の受信を完了した後（Ｓ５４でＹＥＳ）、受信した画像に対して編集処理を実施する（Ｓ５５）。具体的には、受信した画像のうち選択された画像に対してタッチペン３２による編集入力を受付け、利用者６に所望の編集を行わせる。このとき、編集用スピーカ３３から撮影案内、ＢＧＭ、効果音などを出力することにより、操作性（編集効率）を向上させることができる。
【０１１６】
図１６を参照して、編集入力中、タブレットディスプレイ３１に、編集入力の対象とする画像を切換えるための画像切替ボタン群６０１や、「フレーム」、「ライン」、「スタンプ&フレーム」、「ペン」等の編集機能を選択するための編集機能ボタン群６０２、入力したスタンプ画像などの編集画像を消すための「けしごむ」ボタン、入力操作を１つ前の状態に戻すための「ひとつもどる」ボタン、画像入力を最初からやり直すための「はじめから」ボタン等を表示する。
【０１１７】
利用者６は、これらのボタンをタッチペン３２で押すことで使用するツールを選択する。さらに、色柄選択ボタン群６０４から、色、柄などを選択した後、編集入力の対象となる選択画面が表示された編集領域６０３上で編集入力を行なう。
【０１１８】
編集中には、受信した画像と編集画像とをそれぞれ別の画層（レイヤ）に展開し、タブレットディスプレイ３１上にそれらを重ねて表示する。いずれの画像を上に表示するかは用途に応じて設定される。たとえば編集画像を受信した画像の前景にする場合は、編集画像が上の画層になる。編集画像はさらに、スタンプ画像の層、フレーム画像の層など、それぞれ複数の画層で構成されていてもよい。
【０１１９】
編集処理により、合成画像内の装飾画像を変更することができる。ステップＳ５２で編集コンピュータ５０ｂは、合成画像とともに、背景マスクＢ１及び床マスクＣ１も受信する。装飾画像を変更したい場合、利用者は、図１６中の装飾画像が列挙された背景エリア６０５を参照し、所望の装飾画像を選択する。選択された装飾画像と、背景マスクＢ１及び床マスクＣ１とに基づいて、画像を合成する。なお、図１７Ａに示すように、床マスクＣ１のみを用いて床装飾画像を変更することもできるし、図１７Ｂに示すように、背景マスクＢ１のみを用いて装飾画像を変更することもできる。
【０１２０】
さらに、撮影時にノーマル柄が選択した撮影画像に対して装飾画像を合成することもできる。画像処理では、ノーマル柄が選択された撮影画像に対しても背景マスクＢ１、床マスクＣ１を作成し、編集コンピュータ５０ｂはステップＳ５２でこれらのマスクを受信する。そのため、ノーマル柄が選択された撮影画像中の被写体を図１６の背景エリア６０５内の装飾画像に合成できる。
【０１２１】
編集入力時間は予め設定されている。そして、タブレットディスプレイ３１上に残り時間を表示し、カウントダウンを行なう。残り時間がゼロになると編集入力が終了する。画面に表示された「終了」のボタンを押すことで、残り時間がゼロになる前に編集入力を強制的に終了させることもできる。
【０１２２】
編集入力時間内か、「終了」のボタンが押下されるまでは（Ｓ５６でＮＯ）、編集を継続して行うことができる。編集入力が終了すると（Ｓ５６でＹＥＳ）、受信画像の枚数に応じて、予め決められた複数の印刷レイアウトをタブレットディスプレイ３１に表示し、利用者６の選択を受付ける（Ｓ５７）。印刷レイアウトの選択を受付ける前に、編集された画像をタブレットディスプレイ３１に表示し、印刷対象となる画像の選択を受付けてもよい。印刷レイアウトの選択を受付けると、選択された印刷レイアウトに従って、生成された印刷画像データをプリンタ５２に出力する。さらに、利用者６をプリンタ５２の前に誘導するアナウンスを編集用スピーカ３３又はタブレットディスプレイ３１より出力する。そして、プリンタ５２に印刷を開始するよう指示することにより、印刷されたシールシートをプリント取出口８より利用者６に提供する（Ｓ５８）。指示後、ステップＳ５１に戻り、タブレットディスプレイ３１に待機画面を再び表示する。
【０１２３】
以上、１組の利用者６が自動写真撮影装置を利用する場合の動作を説明したが、本実施の形態では編集コーナ３が撮影コーナ２と異なる場所に設置されているので、２組の利用者が同時に利用することもできる。この場合、先の利用者が撮影を終了し編集コーナ３に移動すると、ディスプレイ２４は待機画面を表示し、次の利用者の硬貨投入を受付ける。コインが投入されると、次の利用者の撮影が開始される。ここでは、撮影コーナ２と編集コーナ３とが異なる位置に設置されているが、これに限定されるものではなく、一箇所で撮影及び編集が行われるようにしてもよい。
【０１２４】
コンピュータ装置５０を動作させるプログラムは、フレキシブルディスク、ＣＤ−ＲＯＭ（Compact Disc-Read Only Memory）、ハードディスク、ＲＯＭ（Read Only Memory）、ＲＡＭ（Random Access Memory）、メモリカードなどのコンピュータ読取り可能な記録媒体に記録して提供してもよく、また、インターネットなどの電気通信回線を通じて提供してもよい。提供されたプログラムはハードディスクなどにインストールされ、実行される。
【０１２５】
本実施の形態では、静止画である撮影画像に対して上述の画像処理を実施したが、動画である撮影画像に対して上述の画像処理を実施してもよい。たとえば、カメラ２１で撮像される画像はライブモニタ２２で動画としてリアルタイムに表示されるが、この動画に対して背景キー色及び床キー色を用いて画像処理を実施してもよい。この場合、動画を構成するフレームは半導体メモリ５０３ａに順次記憶されるため、記憶されたフレームごとに３．２．で述べた画像処理を実施する。その結果、フレームごとに装飾画像を合成でき、合成動画をライブモニタ２２に表示できる。
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【０１２６】
【図１】本発明の実施の形態による自動写真撮影装置の外観構成を示す側面図である。
【図２】図１に示した自動写真撮影装置を撮影コーナ側から見た斜視図である。
【図３】図１に示した自動写真撮影装置を編集コーナ側から見た斜視図である。
【図４Ａ】図１に示した自動写真撮影装置で撮影された撮影画像の一例を示す図である。
【図４Ｂ】図４Ａと異なる別の撮影画像の一例を示す図である。
【図４Ｃ】図４Ａ及び図４Ｂと異なる、さらに別の撮影画像の一例を示す図である。
【図４Ｄ】図４Ａ〜図４Ｃと異なる、さらに別の撮影画像の一例を示す図である。
【図５Ａ】図１に示した自動写真撮影装置における垂下したロールカーテンと床との位置関係を示す概略図である
【図５Ｂ】図５Ａに示したロールカーテンと床との位置関係と異なる、別の位置関係を示す概略図である。
【図５Ｃ】図５Ａのロールカーテン及び床の位置関係で撮影された撮影画像の一例を示す図である。
【図５Ｄ】図５Ｂのロールカーテン及び床の位置関係で撮影された撮影画像の一例を示す図である。
【図５Ｅ】図５Ａ及び図５Ｂに示したロールカーテンと床との位置関係と異なる、さらに別の位置関係を示す概略図である。
【図５Ｆ】図５Ｅのロールカーテン及び床の位置関係で撮影された撮影画像の一例を示す図である。
【図６】図１に示した自動写真撮影装置の回路構成を示す機能ブロック図である。
【図７】図１に示した自動写真撮影装置の撮影動作を示すフロー図である。
【図８】図７中のステップＳ１５で自動写真撮影装置のディスプレイに表示される画面を示す図である。
【図９】図７中のステップＳ１６で自動写真撮影装置のディスプレイに表示される画面を示す図である。
【図１０Ａ】図７中のステップＳ１７で自動写真撮影装置のディスプレイに表示される画面を示す図である。
【図１０Ｂ】図１０Ａと異なる、別の画面を示す図である。
【図１１】図７中のステップＳ２１で自動写真撮影装置のディスプレイに表示される画面を示す図である。
【図１２】図７中のステップＳ２０の画像処理を説明するための概略図である。
【図１３】図７中のステップＳ２０の画像処理の詳細を示すフロー図である。
【図１４】図１３中のステップＳ１０１でＮＯの場合の画像処理の動作を説明するための概略図である。
【図１５】図１に示した自動写真撮影装置の編集動作を示すフロー図である。
【図１６】図１５中のステップＳ５５で自動写真撮影装置のタブレットディスプレイに表示される画面を示す図である。
【図１７Ａ】図１５中のステップＳ５５での画像の編集例を示す図である。
【図１７Ｂ】図１７Ａと異なる、別の編集例を示す図である。
【符号の説明】
【０１２７】
１  筐体
６  被写体
２１  カメラ
５０ａ  撮影コンピュータ
５０ｂ  編集コンピュータ
５１  制御部
５２  プリンタ
３０１Ａ〜３０１Ｅ  ロールカーテン
５０２ａ  記憶部
５０２ｂ  記憶部
【図１】
2006254214.tif 000007
【図２】
2006254214.tif 000008
【図３】
2006254214.tif 000009
【図４Ａ】
2006254214.tif 000010
【図４Ｂ】
2006254214.tif 000011
【図４Ｃ】
2006254214.tif 000012
【図４Ｄ】
2006254214.tif 000013
【図５Ａ】
2006254214.tif 000014
【図５Ｂ】
2006254214.tif 000015
【図５Ｃ】
2006254214.tif 000016
【図５Ｄ】
2006254214.tif 000017
【図５Ｅ】
2006254214.tif 000018
【図５Ｆ】
2006254214.tif 000019
【図６】
2006254214.tif 000020
【図７】
2006254214.tif 000021
【図８】
2006254214.tif 000022
【図９】
2006254214.tif 000023
【図１０Ａ】
2006254214.tif 000024
【図１０Ｂ】
2006254214.tif 000025
【図１１】
2006254214.tif 000026
【図１２】
2006254214.tif 000027
【図１３】
2006254214.tif 000028
【図１４】
2006254214.tif 000029
【図１５】
2006254214.tif 000030
【図１６】
2006254214.tif 000031
【図１７Ａ】
2006254214.tif 000032
【図１７Ｂ】
2006254214.tif 000033